(57)【特許請求の範囲】
【請求項１】
一箇所にキーポイントが設定されているデザイン画像のサイズを調整した調整デザイン画像を指の爪に描画する描画部と、
前記爪を含む前記指を撮影した画像から、前記爪の長さ及び幅を求める演算部と、
を備え、
前記描画部は、
前記爪の上の、前記デザイン画像における前記キーポイントに位置に対応した位置にポイント点を設定し、
前記デザイン画像の縦方向の長さと横方向の長さの比率、及び、前記デザイン画像における前記キーポイントの位置の前記縦方向と前記横方向の比率を変えずに、前記デザイン画像の縦方向の長さを前記爪の長さに近づける、又は、前記デザイン画像の横方向の長さを前記爪の幅に近づける、ように前記デザイン画像のサイズを調整して前記調整デザイン画像を生成し、
前記調整デザイン画像の前記キーポイントを、前記爪に設定された前記ポイント点に合わせるようにフィッティングして、前記爪に描画することを特徴とする描画装置。
【請求項２】
前記デザイン画像における前記キーポイントの縦方向の位置の、前記デザイン画像の縦方向の一端からの距離は、前記デザイン画像の縦方向の長さに対して第１の比率を有し、前記キーポイントの横方向の位置の、前記デザイン画像の前記横方向の一端からの距離は、前記デザイン画像の横方向の長さに対して第２の比率を有し、
前記描画部は、前記爪に設定する前記ポイント点の前記爪の長さ方向の位置を、前記長さ方向の一端から、前記爪の長さに対して前記第１の比率を有する位置に設定し、前記ポイント点の幅方向の位置を、前記爪の幅方向の一端から、前記爪の幅に対して前記第２の比率を有する位置に設定する請求項１に記載の描画装置。
【請求項３】
前記演算部は、前記爪を有する指が延びている延在方向を前記爪の長さ方向と定め、
前記描画部は、前記デザイン画像の前記縦方向を前記爪の長さ方向に合わせることを特徴とする請求項１又は２に記載の描画装置。
【請求項４】
前記爪の幅を前記爪の長さで割った前記爪の縦横比を求めるとともに、前記デザイン画像の前記横方向の長さを前記縦方向の長さで割った前記デザイン画像の縦横比を求め、前記爪の縦横比と前記デザイン画像の縦横比とを比較する比較部と、
前記比較部による比較の結果に基づき、前記デザイン画像の縦横比を維持しながら前記デザイン画像を縮小又は拡大して前記調整デザイン画像を生成する画像処理部と、を備えることを特徴とする請求項１乃至３の何れか１項に記載の描画装置。
【請求項５】
前記画像処理部は、
前記比較部が前記デザイン画像の縦横比の方が前記爪の縦横比より大きいと判定した場合、前記爪の長さに前記調整デザイン画像の前記縦方向の長さを近づけるように縮小又は拡大処理を行い、
前記比較部が前記デザイン画像の縦横比の方が前記爪の縦横比より小さいと判定した場合、前記爪の幅に前記調整デザイン画像の前記横方向の長さを合わせるように縮小又は拡大処理を行うことを特徴とする請求項４に記載の描画装置。
【請求項６】
爪を含む指を撮影した画像から、前記爪の長さ及び幅を求める演算ステップと、
一箇所にキーポイントが設定されているデザイン画像のサイズを調整した調整デザイン画像を前記爪に描画する描画ステップと、
を備え、
前記描画ステップは、
前記爪の上の、前記デザイン画像における前記キーポイントに位置に対応した位置にポイント点を設定し、
前記デザイン画像の縦方向の長さと横方向の長さの比率、及び、前記デザイン画像における前記キーポイントの位置の前記縦方向と前記横方向の比率を変えずに、前記デザイン画像の縦方向の長さを前記爪の長さに近づける、又は、前記デザイン画像の横方向の長さを前記爪の幅に近づける、ように前記デザイン画像のサイズを調整して調整デザインを生成し、
前記調整デザイン画像の前記キーポイントを、前記爪に設定された前記ポイント点に合わせるようにフィッティングして、前記爪に描画することを特徴とする描画装置の描画制御方法。
【請求項７】
前記デザイン画像における前記キーポイントの縦方向の位置の、前記デザイン画像の縦方向の一端からの距離は、前記デザイン画像の縦方向の長さに対して第１の比率を有し、前記キーポイントの横方向の位置の、前記デザイン画像の前記横方向の一端からの距離は、前記デザイン画像の横方向の長さに対して第２の比率を有し、
前記描画ステップは、前記爪に設定する前記ポイント点の前記爪の長さ方向の位置を、前記長さ方向の一端から、前記爪の長さに対して前記第１の比率を有する位置に設定し、前記ポイント点の幅方向の位置を、前記爪の幅方向の一端から、前記爪の幅に対して前記第２の比率を有する位置に設定することを特徴とする請求項６に記載の描画装置の描画制御方法。
【請求項８】
前記演算ステップは、前記爪を有する指が延びている延在方向を前記爪の長さ方向と定め、
前記描画ステップは、前記デザイン画像の前記縦方向を前記爪の長さ方向に合わせることを特徴とする請求項６又は７に記載の描画装置の描画制御方法。
【請求項９】
前記爪の幅を前記爪の長さで割って前記爪の縦横比を求めるとともに、前記デザイン画像の前記横方向の幅を前記デザイン画像の前記縦方向の長さで割った前記デザイン画像の縦横比を求め、前記爪の縦横比と前記デザイン画像の縦横比とを比較する比較ステップと、
前記比較ステップによる比較の結果に基づき、前記デザイン画像の縦横比を維持しながら前記デザイン画像を縮小又は拡大して、前記調整デザイン画像を生成する画像処理ステップと、を備えることを特徴とする請求項６乃至８の何れか１項に記載の描画装置の描画制御方法。
【請求項１０】
前記画像処理ステップは、
前記比較ステップが前記デザイン画像の縦横比の方が前記爪の縦横比より大きいと判定した場合、前記爪の長さに前記調整デザイン画像の前記縦方向の長さを近づけるように縮小又は拡大処理を行い、
前記比較ステップが前記デザイン画像の縦横比の方が前記爪の縦横比より小さいと判定した場合、前記爪の幅に前記デザイン画像の前記横方向の長さを合わせるように縮小又は拡大処理を行うことを特徴とする請求項９に記載の描画装置の描画制御方法。
【発明の詳細な説明】
【技術分野】
【０００１】
本発明は、描画装置、および描画装置の描画制御方法に関する。
【背景技術】
【０００２】
例えば、特許文献１に、インクジェット印刷技術を用い、手指の爪および足指の爪にネイルのデザイン画像を描画するネイルプリンタの技術が記載されている。
【０００３】
ネイルプリンタでは、爪の形状に応じてデザイン画像を拡大し、あるいは縮小させることで爪全体にそのデザイン画像を描画することが可能なようにフィットさせる方法が一般的である。
【０００４】
爪に描画するデザイン画像として、例えば図１２（ａ）に示すような傾斜した形状の絵柄を爪先側に描画する「フレンチ」と呼ばれる形態がある。この図１２（ａ）のデザイン画像を指の爪にフィットさせた例が、図１２（ｂ）（ｃ）（ｄ）に示されている。従来のフィッティング方法によれば、「フレンチ」の絵柄の円の形状を保ったまま爪にフィットさせる必要があるため、デザインの縦横比を変えることはできない。例えば、図１２（ｂ）に示すように、デザインの中心にネイルが位置するようにフィットさせれば、希望のデザイン画像を爪に描画することができる。
【０００５】
一方、図１２（ｃ）（ｄ）に示すように、爪の形状が幅広の場合、デザインを爪幅に合わせてフィッティングする必要がある。しかしながら、図１２（ｃ）の場合、描画領域が希望デザインよりも大きくなり、爪の半分以上を占める。また、図１２（ｄ）のようにデザインの中心と爪の中心を位置合わせした場合、描画領域が希望デザインよりも小さくなり、未着色領域が爪の大部分を占めることになる。
【先行技術文献】
【特許文献】
【０００６】
【特許文献１】特表２００３−５３４０８３号公報
【発明の概要】
【発明が解決しようとする課題】
【０００７】
上記したように、従来のフィッティング方法によれば、デザイン画像を爪に自動的にフィットさせようとする場合、爪形状と、使用するデザイン画像によっては適切にフィットできない場合がある。このため、手作業でのフィッティング修正を強いられていた。したがって、多様な爪形状に対し、デザイン画像自動的に適切にフィットさせることができる描画装置の出現が望まれていた。
【０００８】
本発明は、上記のような事情に鑑みなされたものであり、多様な爪形状に対してデザイン画像を自動的に適切にフィットさせることができる、描画装置、および描画装置の描画制御方法を提供することを目的とする。
【課題を解決するための手段】
【０００９】
本発明は、以下の構成によって把握される。
（１）本発明の描画装置は、一箇所にキーポイントが設定されているデザイン画像のサイズを調整した調整デザイン画像を指の爪に描画する描画部と、前記爪を含む前記指を撮影した画像から、前記爪の長さ及び幅を求める演算部と、を備え、前記描画部は、前記爪の上の、前記デザイン画像における前記キーポイントに位置に対応した位置にポイント点を設定し、前記デザイン画像の縦方向の長さと横方向の長さの比率、及び、前記デザイン画像における前記キーポイントの位置の前記縦方向と前記横方向の比率を変えずに、前記デザイン画像の縦方向の長さを前記爪の長さに近づける、又は、前記デザイン画像の横方向の長さを前記爪の幅に近づける、ように前記デザイン画像のサイズを調整して前記調整デザイン画像を生成し、前記調整デザイン画像の前記キーポイントを、前記爪に設定された前記ポイント点に合わせるようにフィッティングして、前記爪に描画することを特徴とする。
【００１０】
（２）本発明の描画装置の描画制御方法は、爪を含む指を撮影した画像から、前記爪の長さ及び幅を求める演算ステップと、一箇所にキーポイントが設定されているデザイン画像のサイズを調整した調整デザイン画像を前記爪に描画する描画ステップと、を備え、前記描画ステップは、前記爪の上の、前記デザイン画像における前記キーポイントに位置に対応した位置にポイント点を設定し、前記デザイン画像の縦方向の長さと横方向の長さの比率、及び、前記デザイン画像における前記キーポイントの位置の前記縦方向と前記横方向の比率を変えずに、前記デザイン画像の縦方向の長さを前記爪の長さに近づける、又は、前記デザイン画像の横方向の長さを前記爪の幅に近づける、ように前記デザイン画像のサイズを調整して調整デザインを生成し、前記調整デザイン画像の前記キーポイントを、前記爪に設定された前記ポイント点に合わせるようにフィッティングして、前記爪に描画することを特徴とする。
【発明の効果】
【００１１】
本発明によれば、多様な爪形状に対してデザイン画像を自動的に適切にフィットさせることができる描画装置、および描画装置の描画制御方法を提供することができる。
【図面の簡単な説明】
【００１２】
【図１】本発明に係わるネイルプリンタの正面図である。
【図２】図１のＡ矢視図であり、一部を断面にして内部構造を示した側面図である。
【図３】本発明に係わるネイルプリンタの制御の構成を示すブロック図である。
【図４】本実施形態に係るネイルプリンタで使用されるデザイン画像の一例を示す図である。
【図５】図４に示すデザイン画像に対応して用意されるネイルデザインのデータフォーマットの一例を示す図である。
【図６】本発明の実施形態に係るネイルプリンタのフィッティング処理の動作を示すフローチャートである。
【図７】図６のフローチャートのＳ１０８〜Ｓ１１０の処理動作を模式化して示した図である。
【図８】図６のフローチャートのＳ１１２〜Ｓ１１４の処理動作を模式化して示した図である。
【図９】デザイン画像の他の一例を示す図である。
【図１０】撮影画像における指の長さ方向の規定の仕方を説明するために引用した図である。
【図１１】多様な爪形状に対しデザイン画像をフィッティングさせる従来例を説明するために引用した図である。
【発明を実施するための形態】
【００１３】
以下、添付図面を参照して、本発明を実施するための形態（以下、「実施形態」と称する）について詳細に説明する。なお、実施形態の説明の全体を通して同じ要素には同じ番号を付している。また、以下の説明において、「前」、「後」は、各々、ネイルプリンタに正対したときの「手前側」、「奥側」を示し、「左」、「右」は、各々、ネイルプリンタに正対したときの「左側」、「右側」を示す。
また、以下の実施形態では、ネイルプリンタ１０は手の指の爪の表面を描画対象面として、これに描画するものとして説明するが、本発明の描画対象面は手の指の爪の表面に限るものではなく、例えば足の指の爪の表面を描画対象面としてもよい。
【００１４】
（実施形態の構成）
本実施形態に係るネイルプリンタ（描画装置）１０の構成を図１〜図３に基づいて説明する。
図１は、本発明に係わるネイルプリンタの正面図であり、図２は、図１のＡ矢視図であって、一部を断面にして内部構造を示した側面図である。
図１及び図２に示すように、ネイルプリンタ１０は、人の指の爪１１にデザイン画像を描くペン型のプロッタであって、ケース本体４０と、このケース本体４０に収容される装置本体４１と、を備える。なお、図１及び図２において、ケース本体４０を二点鎖線で示している。
【００１５】
ケース本体４０の一側（この例では、右側）には、開閉可能なペン取り換え用蓋部３９が設けられる。
【００１６】
ケース本体４０の上面（天板）には操作部３１と表示部３２（図３参照）が設置されている。
操作部３１は、ユーザが各種の入力操作を行う部分であり、ネイルプリンタ１０の電源をＯＮ／ＯＦＦするスイッチ、動作を停止させるスイッチ、爪１１に描くデザイン画像を選択するボタン、描画開始を指示するスイッチなど、各種のスイッチを含む。スイッチの数、種類、配置は任意である。
【００１７】
表示部３２には、例えば、液晶ディスプレイ（ＬＣＤ：Ｌｉｑｕｉｄ  Ｃｒｙｓｔａｌ  Ｄｉｓｐｌａｙ）、有機エレクトロルミネッセンスディスプレイなど各種のフラットディスプレイを用いることができる。また、この表示部３２には、例えば、描画指１２を撮影した画像（以下、「指画像」と称する）、この指画像中に含まれる爪画像（爪１１の輪郭線等の画像）、爪１１に描くデザイン画像を選択するデザイン選択画面、デザイン確認用のサムネイル画像、各種の指示を表示させる指示画面などを表示することができる。また、表示部３２にタッチパネルを一体に設けてもよく、この場合、例えば、指先やスタイラスペン又は先の尖った棒状の筆記具などによって表示部３２の表面を触るタッチ操作によっても、ユーザからの指示を取り込むことができる。
【００１８】
図１に示すように、装置本体４１は、略箱状に形成され、ケース本体４０の前下部に設けられる下部機枠４２と、ケース本体４０の前上部に設けられ下部機枠４２に固定される上部機枠４３とから構成される。そして、装置本体４１には、指固定部４５や撮影部４６が設けられる。さらに、装置本体４１には、ペン（描画用具）２０を備える描画部７０と、この描画部７０を左右方向及び前後方向に移動させる移動装置８０と、ペン先２６を保護するためのキャップ部４７と、ペン２０を慣らすためのペン慣らし書き部４８と、各部の動作を制御する制御装置５１（図３参照）と、が設けられる。なお、ネイルプリンタ１０（描画部７０）に搭載されるペン２０の数は、任意であるが、ここでは、４本のペン２０を搭載したものを例示している。
【００１９】
上部機枠４３は、表示部３２の下面に沿うように設けられる基板４３ａと、左右一対の上部側板４３ｂとにより構成される。上部機枠４３には、ペン取り換え用蓋部３９に対応する位置にペン取り換え口４３ｃを設ける。ペン２０の装填・取り出しに際しては、描画部７０を右側に移動させた状態でペン取り換え用蓋部３９を開け、ペン取り換え口４３ｃを介してペン２０をペンホルダ（描画用具ホルダ）７２に装填したり取り出したりすることができる。実際の使用では、表示部３２に表示される手順にしたがって、操作部３１やタッチパネルを操作し、デザインなどを選択すると、どのペンホルダ７２に何色のペン２０を入れるか（例えば、「Ｎｏ．１のペンホルダ７２」に、「Ｎｏ．２のペン２０」を入れるなど）が指示され、その指示通りにペン２０を入れると所望のデザインが描画されるように設定することができる。
【００２０】
図２に示すように、下部機枠４２は、背面板４２ａ、底板４２ｂ、左右一対の下部側板４２ｃ及び隔壁４２ｄにより構成される。下部側板４２ｃの下端部は、底板４２ｂの左右方向の端部に連結される。背面板４２ａは、底板４２ｂと下部側板４２ｃによって囲われる領域の後側を塞ぐように底板４２ｂ及び下部側板４２ｃに連結される。背面板４２ａの下部は、前方に向けて階段状に凹む凹部４２ｅが形成される。隔壁４２ｄは、下部機枠４２の内側空間（背面板４２ａ、底板４２ｂ及び下部側板４２ｃで囲われる空間）を上下に区切るように下部機枠４２の内側に設けられる。隔壁４２ｄは、略水平方向に沿って設けられる。隔壁４２ｄの左右両端部は、下部側板４２ｃに連結され、隔壁４２ｄの後端部は、背面板４２ａに連結される。
【００２１】
下部機枠４２には、指固定部４５が一体に設けられる。指固定部４５は、隔壁４２ｄによって区分けされる指受け入れ部４５ａと指退避部４５ｂを有する。指受け入れ部４５ａは、隔壁４２ｄの上側でかつ下部機枠４２の左右方向の略中央位置に配置される。指受け入れ部４５ａは、デザイン画像を描く爪１１に対応する描画指１２を受け入れる。一方、指退避部４５ｂは、隔壁４２ｄの下側に形成され、非描画指１３を退避させる。
【００２２】
指受け入れ部４５ａは、下部機枠４２の前方側及び上方側に開口している。指受け入れ部４５ａの下側には、隔壁４２ｄの一部を構成する描画指載置部４５ａ１が形成される。また、隔壁４２ｄの上面でかつ下部機枠４２の前面側の両側部には、下部機枠４２の前面側を塞ぐ前壁４２ｆが立設される。また、隔壁４２ｄの上面には、この前壁４２ｆから指受け入れ部４５ａに向けて徐々に幅が狭くなる左右一対のガイド壁４２ｇが設けられる。左右一対のガイド壁４２ｇは、描画指１２を指受け入れ部４５ａに案内する機能を有する。
【００２３】
指固定部４５では、ユーザは、指受け入れ部４５ａに挿入した描画指１２と指退避部４５ｂに挿入した非描画指１３とで隔壁４２ｄを挟むことができる。これにより、指受け入れ部４５ａ内に挿入された描画指１２を安定して固定することができる。
【００２４】
さらに、隔壁４２ｄの前部に下方に張り出した突出部４２ｄ１を形成することができる。この例では、突出部４２ｄ１の上面は、水平方向に沿う面であり、突出部４２ｄ１の下面は、前方に行くにしたがってその厚さが徐々に薄くなるテーパ状の面に形成される。そして、突出部４２ｄ１の下面の後側には、上方に凹む凹部４２ｄ２が形成される。このような突出部４２ｄ１及び凹部４２ｄ２を隔壁４２ｄに設けることにより、非描画指１３が指退避部４５ｂに挿入されたとき、描画済みの指の爪１１と凹部４２ｄ２の天井面との間に空間が確保される。その結果、描画済みの指の爪１１が隔壁４２ｄに接触して装置側にインクが付着したり、爪１１に描かれた絵柄が擦れて損なわれたりすることを防止できる。
【００２５】
図１に戻る。図１に示すように、撮影部４６は、基板４３ａの下面の中央部に設けられており、カメラ４６ａ及び照明灯４６ｂを備える。この例では、複数（例えば、２個）のカメラ４６ａと複数（例えば、４個）の照明灯４６ｂを搭載した構成を示す。カメラ４６ａは、指受け入れ部４５ａ内に挿入された描画指１２及びその爪１１を撮影するものであり、例えば、２００万画素程度又はそれ以上の画素数を有するものを好適に用いることができる。複数の照明灯４６ｂは、カメラ４６ａを囲うように配置され、カメラ４６ａによる撮影の際に描画指１２の爪１１を照明する。照明灯４６ｂには、白色ＬＥＤなどを好適に用いることができる。
【００２６】
カメラ４６ａによって取得された爪１１を含む描画指１２の画像に基づいて、後述する爪情報検出部５９（図３参照）が爪１１の形状、爪１１の位置（爪１１の水平及び長さ方向の位置を含む）、爪１１の曲率等の情報を検出する。また、撮影部４６は、後述する撮影制御部５８（図３参照）に接続されており、この撮影制御部５８によって制御される。撮影部４６によって撮影された画像の画像データは、後述する記憶部５３の爪画像記憶領域５５（図３参照）に記憶される。
【００２７】
なお、撮影部４６において、複数のカメラ４６ａのうち、少なくとも１個を真上から爪１１を撮影するように指受け入れ部４５ａの直上に配置し、少なくとも１個を斜め上方から爪１１を撮影するように指受け入れ部４５ａの直上からずらして配置することができる。これにより、カメラ４６ａによって爪１１を平面的に撮影するとともに爪１１を斜め上方から撮影することで、爪１１の曲率をより正確に計算し、湾曲した爪１１の面に合わせて好適にデザイン画像を爪１１に描くことができる。
【００２８】
図２に示すように、移動装置８０は、描画部７０を支持するキャリッジ８１をＸ方向（左右方向）に移動させるＸステージ８２と、キャリッジ８１をＹ方向（前後方向）に移動させるＹステージ８３とを備える。Ｘステージ８２及びＹステージ８３のそれぞれは、ステッピングモータからなる駆動部８５、ボールネジ及びガイドにより構成される。駆動部８５は、ステッピングモータの他、サーボモータなど各種の駆動手段から選択可能であり、描画部７０を随意に移動可能な手段であれば種類は任意である。また、Ｘステージ８２及びＹステージ８３は、ステッピングモータ、ボールネジ及びガイドの組合せの他、一般に使用されているシャフトやガイドとワイヤで構成された機構などでもよい。
【００２９】
キャリッジ８１は、Ｘステージ８２から上方に向けて延びる下部キャリッジ８１ａと、この下部キャリッジ８１ａの上端から前方に向けて延びる上部キャリッジ８１ｂとにより構成される。上部キャリッジ８１ｂの前端部には、描画部７０が取り付けられる。
【００３０】
ネイルプリンタ１０においては、キャリッジ８１を移動装置８０によってＸ方向及びＹ方向に任意に移動させることにより、描画部７０のペン２０をＸ方向及びＹ方向における任意の位置に移動させることができ、所望のデザインが爪１１に描画可能である。
【００３１】
図１に戻る。図１に示すように、キャップ部４７は、指受け入れ部４５ａの左右一側（この例では、左側）に配置される。キャップ部４７は、キャップ本体４７ａと、キャップ本体４７ａに設けられ上方に開放した挿入穴４７ｂとを有する。この挿入穴４７ｂには、ペン２０のペン先２６が上方から挿入可能である。ネイルプリンタ１０では、非使用時において、描画部７０をキャップ部４７の上方に移動させ、ペン２０のペン先２６を挿入穴４７ｂに挿入しておくことができる。これにより、非描画時におけるペン先２６の乾燥を防ぐことができる。なお、挿入穴４７ｂの数は、描画部７０に搭載するペン２０の本数に応じて任意に設定可能である。この例では、ペン２０の本数（４本）に合わせて４つの挿入穴４７ｂを左右に並べて設ける。
【００３２】
ペン慣らし書き部４８は、平板状の部分であり、キャップ部４７の後側に配置される。また、上部側板４３ｂ（この例では、左側の上部側板４３ｂ）には、差し込み口４３ｂ１が設けられる。ペン慣らし書き部４８には、差し込み口４３ｂ１から差し込まれた被描画媒体１５が載置される。被描画媒体１５は、ペン先２６を慣らすことができるものであれば任意であり、例えば、紙などを用いることができる。このネイルプリンタ１０では、ペン先２６が乾いていたりインクの乗りが悪く書き始めがかすれたりするのを防止するため、爪１１にデザイン画像を描く直前に、被描画媒体１５にペン２０のペン先２６を、接触を下降させて、「○」や「∞」などの所定の図形を描画して、慣らし書きを行う。これにより、良好な状態のペン先２６を用いて爪１１にデザイン画像を描くことができる。所定の図形は格別に限定されるものではく、インクが無駄に消費しないように、「○」や「∞」などの単純な図形であることが好適である。また、「○」や「∞」などの慣らし書きは、ペン慣らし書き部４８の範囲内で、慣らし書きを行う毎に、同じところに書かないように少しずつ位置をずらしながら書くようにすることが望ましい。また、被描画媒体１５の略全面を慣らし書きで使用した場合は、表示部３２に「紙を交換して下さい」などの文字を表示することができ、これにより、新しい紙に慣らし書ができる。
【００３３】
図３は、本発明に係わるネイルプリンタの制御の構成を示すブロック図である。
図３に示すように、制御装置５１は、ＣＰＵ（Ｃｅｎｔｒａｌ  Ｐｒｏｃｅｓｓｉｎｇ  Ｕｎｉｔ）により構成される制御部５２と、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などで構成される記憶部５３とを備える。
【００３４】
記憶部５３には、ネイルプリンタ１０を動作させるための各種プログラムや各種データが格納されている。具体的には、記憶部５３のＲＯＭには、撮影された画像の爪１１の輪郭から爪１１の幅及び長さを求める爪情報検出プログラム、デザイン画像の縦横比を維持しながら、デザイン画像を、爪１１を覆う大きさに拡大又は縮小して、デザイン画像に設定されているキーポイント（詳細は後述する）と同じ幅方向及び長さ方向の比率となる爪１１上のポイント点（詳細は後述する）に、デザイン画像のキーポイントが一致するようにデザイン画像をフィッティングして、爪１１にデザイン画像を描く描画プログラムなどの各種プログラムが格納されており、これらのプログラムが制御装置５１によって実行されることで、ネイルプリンタ１０の各部が統括制御される。
【００３５】
また、記憶部５３には、撮影部４６によって取得されたユーザの描画指１２の爪１１の爪画像を記憶する爪画像記憶領域５５、爪情報検出部５９によって検出された爪情報が記憶される爪情報記憶領域５６、及び爪１１に描かれるデザイン画像データを記憶するデザイン記憶領域５７が設けられている。なお、デザイン画像データには、例えば、図５に示すように、データ構造の一例を示す位置合わせのためのキーポイント情報が設定されている。詳細は図５を用いて後述する。
【００３６】
制御部５２は、撮影制御部５８、爪情報検出部５９、表示制御部６０、描画制御部６１、演算部６２、比較部６３、画像処理部６４を備える。これら撮影制御部５８、爪情報検出部５９、表示制御部６０、描画制御部６１、演算部６２、比較部６３、画像処理部６４の機能は、制御部５２のＣＰＵと記憶部５３のＲＯＭに記憶されたプログラムとの共働によって実現される。
【００３７】
撮影制御部５８は、撮影部４６のカメラ４６ａ及び照明灯４６ｂを制御してカメラ４６ａにより、指受け入れ部４５ａに挿入された描画指１２の画像を撮影し、爪１１を含む描画指１２の画像を取得する。
【００３８】
爪情報検出部５９は、指受け入れ部４５ａに挿入されカメラ４６ａで撮影された描画指１２の爪１１の画像に基づいて、描画指１２の爪１１についての爪情報を検出する。ここで、爪情報は、爪１１の輪郭（爪形状と水平位置）や爪１１の曲率（爪曲率）である。
【００３９】
表示制御部６０は、表示部３２を制御して表示部３２に各種の表示画面を表示させる。表示制御部６０は、例えば、デザイン画像の選択画面やデザイン確認用のサムネイル画像、描画指１２を撮影した指画像や指画像に含まれる爪画像、各種の指示画面などを表示部３２に表示させる。
【００４０】
描画制御部６１は、画像処理部６４によって生成された描画データを移動装置８０及び描画部７０に出力し、爪１１に対してこの描画データに応じた描画を施すように、移動装置８０の駆動部８５と、描画部７０の動作を制御し、ペン２０による描画を行う。
【００４１】
演算部６２は、撮影部４６で撮影された画像の爪１１の輪郭から爪１１の幅及び長さを求める。後ほど説明するが、ネイルのデザイン画像にはキーポイントが設定されており、この求めた爪１１の幅及び長さに基づき、デザイン画像のキーポイントと同じ幅方向及び長さ方向の比率となる爪１１上のポイント点に、デザイン画像のキーポイントが一致するように、デザイン画像の幅方向及び長さ方向の状態を爪の幅方向及び長さ方向の状態に合わせるようにして、描画部７０が、爪１１上にデザイン画像を描くことで、適切なネイルが爪１１に描かれる。
【００４２】
なお、演算部６２は、爪１１の長さを求めるにあたり、爪１１を撮影する際に取得される指の状態から、指が延びている指の延在方向Ｙを爪１１の長さ方向に定め、その定めた長さ方向に直交する方向Ｘを爪の幅方向と定めている。
【００４３】
比較部６３は、爪１１の幅を爪１１の長さで割って爪１１の縦横比を求めるとともに、デザイン画像の横方向の幅をデザイン画像の縦方向の長さで割ったデザイン画像の縦横比を求め、爪１１の縦横比とデザイン画像の縦横比とを比較して画像処理部６４による拡大縮小処理を制御する。
【００４４】
画像処理部６４は、比較部６３による比較の結果に基づき、デザイン画像の縦横比を変化させないようにデザイン画像を縮小拡大する。具体的には、画像処理部６４は、比較部６３がデザイン画像の縦横比の方が爪１１の縦横比より大きいと判定した場合、爪１１の長さにデザイン画像の縦方向の長さを合わせるように縮小拡大処理を行う。一方、比較部６３がデザイン画像の縦横比の方が爪１１の縦横比より小さいと判定した場合、爪１１の幅にデザイン画像の横方向の幅を合わせるように縮小拡大処理を行う。
【００４５】
図４に、ネイルのデザイン画像の一例が示され、図５に、対応するデザイン画像データのデータフォーマットの一例が示されている。このデザイン画像データは、記憶部５３のデザイン記憶領域５７に記憶される。図４に示す例では、デザイン画像の中心近傍にキーポイントが設定されている。これは、フレンチデザインにおいては、斜めに描かれている曲線と、その上下の割合がデザイン上大切であるという理由からである。一例として、横方向の長さを幅（Ｗ）、縦方向の長さを長さ（Ｈ）とし、横方向のx軸と縦方向のｙ軸の原点Ｐから、ｘ軸方向に、幅（Ｗ）に対し５０％の位置（Ｘ：Ｗ×５０％）、かつ、ｙ軸方向に、長さ（Ｈ）に対し３０％の位置（Ｙ：Ｈ×３０％）がキーポイントとして設定されている。
【００４６】
上記したキーポイントの位置は一例であって、この位置に制限されるものではない。例えば、図９に示すように、キーポイントが中心から大きくずれていてもよい。図９では、キーポイントが右上隅にある小さな花模様がデザイン画像になっている。すなわち、デザイン画像において、形状のポイントになって、爪領域の中での位置のバランスを変えたくない任意のポイントをキーポイントに設定することができる。
【００４７】
図５に示すデザイン画像データは、図４に示すデザイン画像に対応する描画データのヘッダに、デザイン画像の「モードＮＯ」と、「キーポイント_Ｘ」、「キーポイント_Ｙ」、更には、デザイン画像の横方向の長さを示す「デザイン幅（Ｗ）」と縦方向の長さを示す「デザイン長（Ｈ）」のパラメータを有する。ここで、「モードＮＯ」は、デザイン画像のフィッティング方法を識別するための番号であって、ここではモード１としている。モード０は従来のフィッティング方法とする。なお、フィッティング方法が１つしかない場合は、この「モードＮＯ」のパラメータは無くてよい。また、「デザイン幅（Ｗ）」と「デザイン長（Ｈ）」の数値は、１ステップを２μｍとした駆動部８５のステッピングモータのステップ数を示している。「キーポイント_Ｘ」と「キーポイント_Ｙ」は、図５に示すように、爪１１にデザイン画像を配置するときの基準になるキーポイントのｘｙ座標を示し、キーポイント_Ｘ［％］はキーポイントのｘ座標であり、デザイン画像の左上角のｘｙ座標の原点Ｐからｘ軸方向に、幅（Ｗ）に対してＸ％の位置を示し、キーポイント_Ｙ［％］はキーポイントのｙ座標であり、ｘｙ座標の原点Ｐからｙ軸方向に、長さ（Ｈ）に対してＹ％の位置を示し、爪１１上の同じ比率の位置（以下、爪１１のポイント点と呼ぶ）に位置させたい点がキーポイントとして指定されている。
なお、上記のように、爪１１のポイント点は、爪１１上でデザイン画像のキーポイント（Ｘ％、Ｙ％）と同じ比率の位置であるので、ポイント点のx軸方向の位置を示すポイント点Ｘは、爪１１の幅ＮＷ×Ｘ％であり、ポイント点のｙ軸方向の位置を示すポイント点Ｙは、爪１１の長さＮＨ×Ｙ％となる位置である。
なお、以後、ポイント点Ｘとポイント点Ｙとをまとめて呼ぶ場合は、単にポイント点と記載する。
【００４８】
（実施形態の動作）
以下、本実施形態に係るネイルプリンタ１０のフィッティング処理動作について詳細に説明する。
【００４９】
図６は、本発明の実施形態に係るネイルプリンタのフィッティング処理の動作を示すフローチャートである。
図６において、ユーザは、まず、表示部３２に表示されている複数のデザイン画像の中から所望のデザイン画像を選択する（ステップＳ１０１）。この操作を経て、制御部５２（演算部６２）は、記憶部５３（デザイン記憶領域５７）を参照し、選択されたデザイン画像に対応するデザイン画像データに基づいて、該当デザイン画像の幅（Ｗ）と長さ（Ｈ）のパラメータを取得する（ステップＳ１０２）。続いて、演算部６２は、選択されたデザイン画像に対応するデザイン画像データに基づいて、キーポイント_Ｘとキーポイント_Ｙとを取得する（ステップＳ１０３）。
【００５０】
次いで、ユーザは、ネイルを施す指をネイルプリンタ１０の所定の位置（指受け入れ部４５ａ）に置き、操作部３１に割り付けられるネイル開始スイッチ等を押下する等によりネイルのフィッティング処理開始をネイルプリンタ１０に知らせる。このことにより、撮影部４６が起動し、照明灯４６ｂが点灯してカメラ４６ａによる指画像の撮影が開始される。これによって、演算部６２は、得られる指画像から爪の形状を切出す（ステップＳ１０４）。そして、切出した爪画像から爪の幅（ＮＷ）と爪の長さ（ＮＨ）情報とを取得する（ステップＳ１０５）。ここで、指画像における指の延在方向を爪の長さ方向とし、この長さ方向に直交する方向を爪の幅方向とする。
例えば、指受け入れ部４５ａが指１本程度のサイズに規制されている場合には、挿入された描画指１２の爪１１の方向が大きく変化することはないが、図１０に示すように、複数の指を同時に入れることができる場合には、各指の方向は異なっている。この場合に、指の延在方向を爪の長さ方向に指定することで、各指の方向が異なっていて、それに応じて各爪の向きに違いがあったとしても、正確に爪の幅（ＮＷ）と長さ（ＮＨ）を定めることができる（なお、図１０中の領域Ａは撮影部４６による撮影領域を示している）。
なお、指受け入れ部４５ａが指１本程度のサイズのときでも、指の延在方向を爪１１の長さ方向に指定することで、より正確に爪１１の幅（ＮＷ）と長さ（ＮＨ）を定めることができるので、この場合でも、指の延在方向を爪１１の長さ方向とし、それに直交する方向を爪１１の幅方向とすることが好ましい。
【００５１】
続いて、演算部６２は、モード判定を行い（ステップＳ１０６）、選択されたモードが“１”でない場合（ステップＳ１０６“ＮＯ”）、他のフィッティング方法にしたがいフィッティング処理を実行する（ステップＳ１１５）。例えば、従来の方法でフィッティングを行う。選択されたモードが“１”の場合（ステップＳ１０６“ＹＥＳ”）、比較部６３は、デザイン画像の縦横比（Ｗ／Ｈ）と爪１１の縦横比（ＮＷ／ＮＨ）を比較し（ステップＳ１０７）、ここで、Ｗ／Ｈ＞ＮＷ／ＮＨの場合、すなわち、デザイン画像が爪１１より幅広形状である場合（ステップＳ１０７“ＹＥＳ”）、画像処理部６４は、デザイン画像の長さを、爪の長さと同じＨ＝ＮＨになるまで、縦横比を変えることなく拡大縮小処理を行う（ステップＳ１０８）。
なお、Ｗ／Ｈ＞ＮＷ／ＮＨの場合、デザイン画像の方が切出した爪１１よりも幅広形状であるため、縦横比を変えずにデザイン画像の長さを爪１１の長さに合わせると、必ず、デザイン画像の幅Ｗは爪１１の幅ＮＷよりも広くなるので、デザイン画像は爪１１の全体がカバーできるサイズになる。
【００５２】
続いて、描画部７０に制御が移り、描画部７０は、爪１１の左端とデザイン画像の左端とを位置合わせして爪１１に長さがぴったり合うようにフィッティング操作を行う（ステップＳ１０９）。そして、爪１１のポイント点Ｘ／１００の位置（つまり、爪１１の幅ＮＷ×キーポイントＸ／１００の位置）に、デザイン画像のキーポイントＸ／１００の位置（つまり、デザインの幅Ｗ×キーポイントＸ／１００の位置）が合うように左方向に向けてデザイン画像をシフトする処理を実行する（ステップＳ１１０）。
【００５３】
図７は、デザイン画像の方が幅広の場合（Ｗ／Ｈ＞ＮＷ／ＮＨ）である場合の、ステップＳ１０８からＳ１１０までの処理動作を模式化して示したものである。まず、デザイン画像の長さＨ（縦の長さ）が爪１１の長さＮＨと同じになるように、デザイン画像の縦横比を変えずに、図７（ｂ）の二点斜線で示すサイズまでデザイン画像を縮小する（なお、爪１１の長さＮＨの方が、長さが長い場合は、デザイン画像は拡大されることになる）。
そして、爪１１の左端とデザイン画像の左端とが一致するとともに長さ方向の位置も一致するようにデザイン画像をフィッティングする（図７（ｃ）参照）。上記の縮小拡大処理では、デザイン画像の長さＨと爪１１の長さＮＨが同じになるようにしているので、図７（ｃ）に示すように、このフィッティングによってデザイン画像のキーポイントＹと爪１１のポイント点Ｙとは、長さ方向（図上下方向）の位置が合うことになる。
次に、デザイン画像のキーポイントＸ（幅方向５０％の位置）と爪１１のポイント点Ｘ（幅方向５０％の位置）が一致するように、デザイン画像を左側にシフトさせる（図７（ｄ））。
なお、上記では、デザイン画像のxy座標の原点Ｐがデザイン画像の左上角にあるため、最初にデザイン画像をフィッティングする作業を、左端を基準に行って、デザイン画像を左側にシフトすることになっているが、デザイン画像のxy座標の原点Ｐがデザイン画像の右上角に設けられている場合には、デザイン画像のシフトは左側に行われることになる。
【００５４】
一方、図６のステップＳ１０７で、比較部６３が、デザイン画像と爪１１の縦横比とを比較した結果、Ｗ／Ｈ＞ＮＷ／ＮＨでなかった場合、すなわち、デザイン画像が爪１１より縦長形状である場合（ステップＳ１０７“ＮＯ”）、画像処理部６４は、デザイン画像の幅を、爪１１の幅と同じＷ＝ＮＷになるまで、縦横比を変えることなく拡大縮小処理を行う（ステップＳ１１２）。
この場合は、Ｗ／Ｈ＞ＮＷ／ＮＨの場合と逆の場合であるため、デザイン画像の方が切出した爪１１よりも縦長形状である。したがって、今度は、爪１１の幅ＮＷと同じ幅Ｗのデザイン画像となるように縮小拡大処理を行ってやれば、デザイン画像は、必ず、爪１１の全体がカバーできるサイズになる。
【００５５】
続いて、描画部７０は、爪１１の上端とデザイン画像の上端を位置合わせてして爪１１に幅がぴったり合うようにデザイン画像のフィッティング操作を行う（ステップＳ１１３）。続いて、描画部７０は、爪１１のポイント点Ｙ／１００の位置（つまり、爪１１の長さＮＨ×キーポイントＸ／１００の位置）に、デザイン画像のキーポイントＹ／１００の位置（デザインの長さＨ×キーポイントＸ／１００の位置）が合うように、上方向に向けてデザイン画像をシフトする処理を実行する（ステップＳ１１４）。
【００５６】
図８は、デザイン画像の方が縦長の場合（Ｗ／Ｈ＜ＮＷ／ＮＨ）であるステップＳ１１２からＳ１１４までの処理動作を模式化して示したものである。まず、デザイン画像の幅Ｗが爪１１の幅ＮＷと同じになるように、デザイン画像の縦横比を変えずに、図８（ｂ）の二点斜線で示すサイズまでデザイン画像を縮小する（なお、爪１１の幅ＮＷの方が、幅広の場合は、デザイン画像は拡大されることになる）。
そして、爪１１の上端とデザイン画像の上端とが一致するとともに幅方向の位置も一致するようにデザイン画像をフィッティングする（図８（ｃ）参照）。
上記の縮小拡大処理では、デザイン画像の幅Ｗと爪１１の幅ＮＷが同じになるようにしているので、図８（ｃ）に示すように、このフィッティングによってデザイン画像のキーポイントＸと爪１１のポイント点Ｘとは、幅方向（図左右方向）の位置が合うことになる。
次に、デザイン画像のキーポイントＹ（長さ方向３０％の位置）と爪１１のポイント点Ｙ（長さ方向３０％の位置）が一致するように、デザイン画像を上側にシフトさせる（図８（ｄ））。
なお、上記では、デザイン画像のxy座標の原点Ｐがデザイン画像の左上角にあるため、最初にデザイン画像をフィッティングする作業を、上端を基準に行ってデザイン画像を上側にシフトすることになっているが、デザイン画像のxy座標の原点Ｐがデザイン画像の右上角に設けられている場合には、デザイン画像のシフトは下側に行われることになる。
【００５７】
上記のように、デザイン画像のキーポイントである幅方向５０％、長さ方向３０％の位置は、爪１１の、それぞれ５０％と３０％位置（ポイント点）にフィットできており（図７（ｄ）及び図８（ｄ）参照）、したがって、希望のフレンチデザインを自動的に適切にフィッティングすることができる。
【００５８】
そして、描画部７０は、図７（ｄ）及び図８（ｄ）に示した状態、つまり、デザイン画像のキーポイントと同じ幅方向及び長さ方向の比率となる爪１１上のポイント点に、デザイン画像のキーポイントが一致するように、デザイン画像の幅方向及び長さ方向の状態を前記爪の幅方向及び長さ方向の状態に合わせた状態で、爪１１にデザイン画像の画像を描画（Ｓ１１１）して一連の処理が終了する。
【００５９】
なお、図６のフローチャートには記載していないが、描画（ステップＳ１１１）を実施する前に、爪１１にデザイン画像を描画した場合、どのようなネイルになるかを表示部３２に表示し、希望に沿ったネイルになっている場合に描画をスタートするようにしてもよく、そして、表示部３２に表示したネイル状態が希望に沿っていないときには、マニュアルモードで修正したり、ステップＳ１０１のネイルデザイン選択処理からやり直したりできるようにしておくとよい。
【００６０】
（実施形態の効果）
以上説明のように本実施形態に係るネイルプリンタ１０によれば、デザイン画像に、幅と長さ情報の他に、キーポイントになる位置情報（キーポイント_Ｘ，_Ｙ）を含ませ、撮影により切出した爪１１の画像のポイント点（キーポイントと同じ比率の点）位置と、デザイン画像のキーポイント位置とを位置合わせする構成にすることで、多様な爪形状に対してデザイン画像を自動的に適切にフィットさせることができる。特に、「フレンチデザイン」のように、爪１１全体に対するカバーバランスが意匠的に重要な場合や、デザインが所定の位置にあることが意匠的に重要である時に特に有効である。
また、縦横比を変えると著しくデザインがかわってしまうような場合（例えば、円形や星など）でも、縦横比を変化させないようにしつつ、適切なデザイン画像のフィッティングが可能であるので、このような場合にも顕著な効果を発揮する。
【００６１】
なお、上記では、ネイルプリンタ１０として描画部が、ペン（プロッタ）だけ場合で説明してきたが、ネイルプリンタ１０の種類は特に限定されるものではない。
例えば、描画部が、インクジェットカートリッジを用いたインクジェット型のものだけあってもよく、ペン（プロッタ）とインクジェットの両方を備えているものでもよい。
【００６２】
以下に、この出願の願書に最初に添付した特許請求の範囲に記載した発明を付記する。付記に記載した請求項の項番は、この出願の願書に最初に添付した特許請求の範囲の通りである。
＜請求項１＞
一箇所にキーポイントが設定されているデザイン画像のサイズを調整した調整デザイン画像を指の爪に描画する描画部と、
前記爪を含む前記指を撮影する撮影部と、
前記撮影部で撮影された画像から、前記爪の長さ及び幅を求める演算部と、
を備え、
前記描画部は、
前記爪の上の、前記デザイン画像における前記キーポイントに位置に対応した位置にポイント点を設定し、
前記デザイン画像の縦方向の長さと横方向の長さの比率、及び、前記デザイン画像における前記キーポイントの位置の前記縦方向と前記横方向の比率を変えずに、前記デザイン画像の縦方向の長さを前記爪の長さに近づける、又は、前記デザイン画像の横方向の長さを前記爪の幅に近づける、ように前記デザイン画像のサイズを調整して前記調整デザイン画像を生成し、
前記調整デザイン画像の前記キーポイントを、前記爪に設定された前記ポイント点に合わせるようにフィッティングして、前記爪に描画することを特徴とする描画装置。
＜請求項２＞
前記デザイン画像における前記キーポイントの縦方向の位置の、前記デザイン画像の縦方向の一端からの距離は、前記デザイン画像の縦方向の長さに対して第１の比率を有し、前記キーポイントの横方向の位置の、前記デザイン画像の前記横方向の一端からの距離は、前記デザイン画像の横方向の長さに対して第２の比率を有し、
前記描画部は、前記爪に設定する前記ポイント点の前記爪の長さ方向の位置を、前記長さ方向の一端から、前記爪の長さに対して前記第１の比率を有する位置に設定し、前記ポイント点の幅方向の位置を、前記爪の幅方向の一端から、前記爪の幅に対して前記第２の比率を有する位置に設定する請求項１に記載の描画装置。
＜請求項３＞
前記演算部は、前記爪を有する指が延びている延在方向を前記爪の長さ方向と定め、
前記描画部は、前記デザイン画像の前記縦方向を前記爪の長さ方向に合わせることを特徴とする請求項１又は２に記載の描画装置。
＜請求項４＞
前記爪の幅を前記爪の長さで割った前記爪の縦横比を求めるとともに、前記デザイン画像の前記横方向の長さを前記縦方向の長さで割った前記デザイン画像の縦横比を求め、前記爪の縦横比と前記デザイン画像の縦横比とを比較する比較部と、
前記比較部による比較の結果に基づき、前記デザイン画像の縦横比を維持しながら前記デザイン画像を縮小又は拡大して前記調整デザイン画像を生成する画像処理部と、を備えることを特徴とする請求項１乃至３の何れか１項に記載の描画装置。
＜請求項５＞
前記画像処理部は、
前記比較部が前記デザイン画像の縦横比の方が前記爪の縦横比より大きいと判定した場合、前記爪の長さに前記調整デザイン画像の前記縦方向の長さを近づけるように縮小又は拡大処理を行い、
前記比較部が前記デザイン画像の縦横比の方が前記爪の縦横比より小さいと判定した場合、前記爪の幅に前記調整デザイン画像の前記横方向の長さを合わせるように縮小又は拡大処理を行うことを特徴とする請求項４に記載の描画装置。
＜請求項６＞
爪を含む指を撮影する撮影ステップと、
前記撮影ステップで撮影された画像から、前記爪の長さ及び幅を求める演算ステップと、
一箇所にキーポイントが設定されているデザイン画像のサイズを調整した調整デザイン画像を前記爪に描画する描画ステップと、
を備え、
前記描画ステップは、
前記爪の上の、前記デザイン画像における前記キーポイントに位置に対応した位置にポイント点を設定し、
前記デザイン画像の縦方向の長さと横方向の長さの比率、及び、前記デザイン画像における前記キーポイントの位置の前記縦方向と前記横方向の比率を変えずに、前記デザイン画像の縦方向の長さを前記爪の長さに近づける、又は、前記デザイン画像の横方向の長さを前記爪の幅に近づける、ように前記デザイン画像のサイズを調整して調整デザインを生成し、
前記調整デザイン画像の前記キーポイントを、前記爪に設定された前記ポイント点に合わせるようにフィッティングして、前記爪に描画することを特徴とする描画装置の描画制御方法。
＜請求項７＞
前記デザイン画像における前記キーポイントの縦方向の位置の、前記デザイン画像の縦方向の一端からの距離は、前記デザイン画像の縦方向の長さに対して第１の比率を有し、前記キーポイントの横方向の位置の、前記デザイン画像の前記横方向の一端からの距離は、前記デザイン画像の横方向の長さに対して第２の比率を有し、
前記描画ステップは、前記爪に設定する前記ポイント点の前記爪の長さ方向の位置を、前記長さ方向の一端から、前記爪の長さに対して前記第１の比率を有する位置に設定し、前記ポイント点の幅方向の位置を、前記爪の幅方向の一端から、前記爪の幅に対して前記第２の比率を有する位置に設定することを特徴とする請求項６に記載の描画装置の描画制御方法。
＜請求項８＞
前記演算ステップは、前記爪を有する指が延びている延在方向を前記爪の長さ方向と定め、
前記描画ステップは、前記デザイン画像の前記縦方向を前記爪の長さ方向に合わせることを特徴とする請求項６又は７に記載の描画装置の描画制御方法。
＜請求項９＞
前記爪の幅を前記爪の長さで割って前記爪の縦横比を求めるとともに、前記デザイン画像の前記横方向の幅を前記デザイン画像の前記縦方向の長さで割った前記デザイン画像の縦横比を求め、前記爪の縦横比と前記デザイン画像の縦横比とを比較する比較ステップと、
前記比較ステップによる比較の結果に基づき、前記デザイン画像の縦横比を維持しながら前記デザイン画像を縮小又は拡大して、前記調整デザイン画像を生成する画像処理ステップと、を備えることを特徴とする請求項６乃至８の何れか１項に記載の描画装置の描画制御方法。
＜請求項１０＞
前記画像処理ステップは、
前記比較ステップが前記デザイン画像の縦横比の方が前記爪の縦横比より大きいと判定した場合、前記爪の長さに前記調整デザイン画像の前記縦方向の長さを近づけるように縮小又は拡大処理を行い、
前記比較ステップが前記デザイン画像の縦横比の方が前記爪の縦横比より小さいと判定した場合、前記爪の幅に前記デザイン画像の前記横方向の長さを合わせるように縮小又は拡大処理を行うことを特徴とする請求項９に記載の描画装置の描画制御方法。
【符号の説明】
【００６３】
１０      ネイルプリンタ（描画装置）
３１      操作部
３２      表示部
４６      撮影部
５１      制御装置
５２      制御部
５３      記憶部
５５      爪画像記憶領域
５６      爪情報記憶領域
５７      デザイン記憶領域
５９      爪情報検出部
６０      表示制御部
６１      描画制御部
６２      演算部
６３      比較部
６４      画像処理部
７０      描画部
【図１】
0006384150.tif 000002
【図２】
0006384150.tif 000003
【図３】
0006384150.tif 000004
【図４】
0006384150.tif 000005
【図５】
0006384150.tif 000006
【図６】
0006384150.tif 000007
【図７】
0006384150.tif 000008
【図８】
0006384150.tif 000009
【図９】
0006384150.tif 000010
【図１０】
0006384150.tif 000011
【図１１】
0006384150.tif 000012